【手続補正書】
【提出日】平成20年2月5日(2008.2.5)
【手続補正１】
【補正対象書類名】特許請求の範囲
【補正対象項目名】全文
【補正方法】変更
【補正の内容】
【特許請求の範囲】
【請求項１】
第１工程で、モノマー組成物Ａ）の質量に対して０〜４０質量％の式（Ｉ）：
【化１】
2008506794.tif 000001
［式中、Ｒは水素又はメチルを表し、Ｒ１は炭素原子数１〜５を有する直鎖又は分枝鎖のアルキル基を表し、Ｒ２及びＲ３は相互に無関係に、水素又は式−ＣＯＯＲ’の基を表し、ここで、Ｒ’は水素又は炭素原子数１〜５を有するアルキル基を表す］のエチレン系不飽和エステル化合物１種以上、
モノマー組成物Ａ）の質量に対して６０〜１００質量％の式（ＩＩ）：
【化２】
2008506794.tif 000002
［式中、Ｒは水素又はメチルを表し、Ｒ４は炭素原子数６〜４０を有する直鎖又は分枝鎖のアルキル基を表し、Ｒ５及びＲ６は相互に無関係に、水素又は式−ＣＯＯＲ"の基を表し、ここで、Ｒ"は水素又は炭素原子数６〜４０を有するアルキル基を表す］のエチレン系不飽和エステル化合物１種以上を有し、かつ
モノマー組成物Ａ）の質量に対して０〜４０質量％のコモノマー
を包含しているモノマー組成物Ａ）のラジカル重合によって、グラフト幹重合体少なくとも１種を製造し、
かつ第２工程で、このグラフト幹重合体上に、窒素少なくとも１個を含有する基を有するモノマー少なくとも１種２０〜１００質量％を包含しているモノマー組成物Ｂ）をグラフトさせる
ことからなる２工程重合によって得られるグラフトコポリマーを、摩耗を低下させるために潤滑油組成物中で使用する場合に、このグラフトコポリマーは、高々２００ｐｐｍの硫黄を含有しており、かつモノマー組成物Ａ）の質量とモノマー組成物Ｂ）の質量との比は、９９．７：０．３〜８０：２０の範囲内にあることを特徴とする、グラフトコポリマーの使用。
【請求項２】
グラフト収率は、（ｘ＊１０−５モル／ｇ＋３５）％（式中、ｘはＧＰＣにより測定されるグラフト幹重合体の分子量の重量平均である）に等しいかそれを上回っていることを特徴とする、請求項１に記載の使用。
【請求項３】
グラフト幹重合体は、５０００〜２０００００ｇ／モルの範囲の分子量の重量平均を有することを特徴とする、請求１又は２に記載の使用。
【請求項４】
グラフト幹重合体は、クロロホルム中、２５℃で測定される比粘度ηsp/c  ４〜４０ｍｌ／ｇを有することを特徴とする、請求項１から３までのいずれか１項に記載の使用。
【請求項５】
グラフト幹重合体は、クロロホルム中、２５℃で測定される比粘度ηsp/c  ５〜５０ｍｌ／ｇを有することを特徴とする、請求項１から４までのいずれか１項に記載の使用。
【請求項６】
グラフトコポリマーの比粘度とグラフト幹重合体の比粘度との比が１．０１：１〜１．３０：１の範囲内にあることを特徴とする、請求項１から５までのいずれか１項に記載の使用。
【請求項７】
グラフトコポリマーは、５１００〜２５００００の範囲の分子量の重量平均を有することを特徴とする、請求項１から６までのいずれか１項に記載の使用。
【請求項８】
グラフトコポリマーの分子量の重量平均とグラフト幹重合体の分子量の重量平均との比が１．０１：１〜５：１の範囲内にあることを特徴とする、請求項１から７までのいずれか１項に記載の使用。
【請求項９】
工程２での重合温度は、工程１での重合温度よりも高いことを特徴とする、請求項１から８までのいずれか１項に記載の使用。
【請求項１０】
工程１での重合温度は、７０〜１２０℃の範囲内にあることを特徴とする、請求項１から９までのいずれか１項に記載の使用。
【請求項１１】
工程２での重合温度は、１１０〜１４０℃の範囲内にあることを特徴とする、請求項１から１０までのいずれか１項に記載の使用。
【請求項１２】
窒素少なくとも１個を含有する基を有するモノマーは、式（ＩＩＩ）：
【化３】
2008506794.tif 000003
［式中、Ｒ７、Ｒ８及びＲ９は相互に無関係に、水素又は炭素原子数１〜５を有するアルキル基であってよく、Ｒ１０は窒素原子少なくとも１個を有する炭素原子数１〜１００を有する基を表す］の化合物であることを特徴とする、請求項１から１１までのいずれか１項に記載の使用。
【請求項１３】
窒素少なくとも１個を含有する基を有するモノマー少なくとも１種は、次の群：
アミノアルキル（メタ）アクリレート及びアミノアルキル（メタ）アクリルアミド、例えばＮ−（３−ジメチルアミノプロピル）メタクリルアミド、ジメチルアミノエチルメタクリレート、ジメチルアミノプロピルメタクリレート、３−ジエチルアミノペンチルメタクリレート、３−ジブチルアミノヘキサデシル（メタ）アクリレート；ヘテロ環式（メタ）アクリレート、例えば２−（１−イミダゾリル）エチル（メタ）アクリレート、Ｎ−モルホリノエチル（メタ）アクリレート、殊に２−（４−モルホリニル）エチル（メタ）アクリレート及び１−（２−メタクリロイルオキシエチル）−２−ピロリドン；ヘテロ環式ビニル化合物、例えば２−ビニルピリジン、３−ビニルピリジン、２−メチル−５−ビニルピリジン、３−エチル−４−ビニルピリジン、２，３−ジメチル−５−ビニルピリジン、ビニルピリミジン、ビニルピペリジン、９−ビニルカルバゾール、３−ビニルカルバゾール、４−ビニルカルバゾール、１−ビニルイミダゾール、２−メチル−１−ビニルイミダゾール、Ｎ−ビニルピロリドン、２−ビニルピロリドン、Ｎ−ビニルピロリジン、３−ビニルピロリジン、Ｎ−ビニルカプロラクタム、Ｎ−ビニルブチロラクタム、ビニルオキサゾール及び水素化されたビニルオキサゾールから選択されていることを特徴とする、請求項１１に記載の使用。
【請求項１４】
グラフト幹重合体上に、グラフト幹重合体の質量に対して１〜９質量％の式（ＩＩＩ）の化合物１種以上をグラフトさせることを特徴とする、請求項１１又は１２に記載の使用。
【請求項１５】
グラフトコポリマーは、付加的に、粘度指数改良作用及び／又は分散作用及び／又は界面活性作用及び／又は凝固点低下作用を有することを特徴とする、請求項１から１４までのいずれか１項に記載の使用。
【請求項１６】
グラフトコポリマーは、減少されたエネルギー消費をもたらすことを特徴とする、請求項１から１５までのいずれか１項に記載の使用。
【請求項１７】
潤滑剤混合物は、請求項１に記載のグラフトコポリマーではない摩擦変性剤及び／又は極圧−添加剤を包含していることを特徴とする、請求項１から１６までのいずれか１項に記載の使用。
【請求項１８】
潤滑油組成物は、グラフトコポリマー２〜２０質量％を含有していることを特徴とする、請求項１から１７までのいずれか１項に記載の使用。
【請求項１９】
モノマー組成物Ａ）は、窒素を有するモノマーを含有していることを特徴とする、請求項１から１８までのいずれか１項に記載の使用。
【請求項２０】
その使用が、１００時間後にＣＥＣ−Ｌ−５１−Ａ−９８によって測定される、平均カム摩耗  高々４０μｍをもたらすことを特徴とする、請求項１から１９までのいずれか１項に記載の使用。
【請求項２１】
潤滑油組成物を、内燃機関、駆動装置、クラッチ又はポンプの潤滑化のために使用することを特徴とする、請求項１から２０までのいずれか１項に記載の使用。
【手続補正２】
【補正対象書類名】明細書
【補正対象項目名】００４６
【補正方法】変更
【補正の内容】
【００４６】
好ましいコモノマーには、特に次のものが属する：ビニルハロゲニド、例えば塩化ビニル、弗化ビニル、塩化ビニリデン及び弗化ビニリデン；ビニルエステル、例えば酢酸ビニル；
スチレン、側鎖中にアルキル置換基１個を有する置換スチレン、例えばα−メチルスチレン及びα−エチルスチレン、環にアルキル置換基１個を有する置換スチレン、例えばビニルトルエン及びｐ−メチルスチレン、ハロゲン化されたスチレン、例えばモノクロロスチレン、ジクロロスチレン、トリブロモスチレン及びテトラブロモスチレン；
ヘテロ環式ビニル化合物、例えば２−ビニルピリジン、３−ビニルピリジン、２−メチル−５−ビニルピリジン、３−エチル−４−ビニルピリジン、２，３−ジメチル−５−ビニルピリジン、ビニルピリミジン、ビニルピペリジン、９−ビニルカルバゾール、３−ビニルカルバゾール、４−ビニルカルバゾール、１−ビニルイミダゾール、２−メチル−１−ビニルイミダゾール、Ｎ−ビニルピロリドン、２−ビニルピロリドン、Ｎ−ビニルピロリジン、３−ビニルピロリジン、Ｎ−ビニルカプロラクタム、Ｎ−ビニルブチロラクタム、ビニルオキソラン、ビニルフラン、ビニルオキサゾール及び水素化されたビニルオキサゾール；
ビニル−及びイソプレニルエーテル；
マレイン酸及びマレイン酸誘導体、例えば無水マレイン酸、無水メチルマレイン酸、マレインイミド、メチルマレインイミド；
フマル酸及びフマル酸誘導体；
アクリル酸及びメタクリル酸；
ジエン、例えばジビニルベンゼン；
アリール（メタ）アクリレート、例えばベンジルメタクリレート又はフェニルメタクリレート（ここで、アリール基はそれぞれ非置換であるか又は４個まで置換されていてよい）；
ハロゲン化されたアルコールのメタクリレート、例えば２，３−ジブロモプロピルメタクリレート、４−ブロモフェニルメタクリレート、１，３−ジクロロ−２−プロピルメタクリレート、２−ブロモエチルメタクリレート、２−ヨードエチルメタクリレート、クロロメチルメタクリレート；
ヒドロキシアルキル（メタ）アクリレート、例えば３−ヒドロキシプロピルメタクリレート、３，４−ジヒドロキシブチルメタクリレート、２−ヒドロキシエチルメタクリレート、２−ヒドロキシプロピルメタクリレート、２，５−ジメチル−１，６−ヘキサンジオール（メタ）アクリレート、１，１０−デカンジオール（メタ）アクリレート；
カルボニル含有メタクリレート、例えば２−カルボキシエチルメタクリレート、カルボキシメチルメタクリレート、オキサゾリジニルエチルメタクリレート、Ｎ−（メタクリロイルオキシ）ホルムアミド、アセトニルメタクリレート，Ｎ−メタクリロイルモルホリン、Ｎ−メタクリロイル−２−ピロリジノン、Ｎ−（２−メタクリロイルオキシエチル）−２−ピロリジノン、Ｎ−（３−メタクリロイルオキシプロピル）−２−ピロリジノン、Ｎ−（２−メタクリロイルオキシペンタデシル）−２−ピロリジノン、Ｎ−（３−メタクリロイルオキシヘプタデシル）−２−ピロリジノン；
グリコールジメタクリレート、例えば１，４−ブタンジオールメタクリレート、２−ブトキシエチルメタクリレート、２−エトキシエトキシメチルメタクリレート、２−エトキシエチルメタクリレート；
エーテルアルコールのメタクリレート、例えばテトラヒドロフルフリルメタクリレート、ビニルオキシエトキシエチルメタクリレート、メトキシエトキシエチルメタクリレート、１−ブトキシプロピルメタクリレート、１−メチル−（２−ビニルオキシ）エチルメタクリレート、シクロヘキシルオキシメチルメタクリレート、メトキシメトキシエチルメタクリレート、ベンジルオキシメチルメタクリレート、フルフリルメタクリレート、２−ブトキシエチルメタクリレート、２−エトキシエトキシメチルメタクリレート、２−エトキシエチルメタクリレート、アリルオキシメチルメタクリレート、１−エトキシブチルメタクリレート、メトキシメチルメタクリレート、１−エトキシエチルメタクリレート、エトキシメチルメタクリレート及び、好ましくはエトキシ基１〜２０、殊に２〜８個を有するエトキシル化された（メタ）アクリレート；
アミノアルキル（メタ）アクリレート及びアミノアルキル（メタ）アクリルアミド、例えばＮ−（３−ジメチルアミノプロピル）メタクリルアミド、ジメチルアミノプロピルメタクリレート、３−ジエチルアミノペンチルメタクリレート、３−ジブチルアミノヘキサデシル（メタ）アクリレート；
（メタ）アクリル酸のニトリル及び他の窒素含有メタクリレート、例えばＮ−（メタクリロイルオキシエチル）ジイソブチルケチミン、Ｎ−（メタクリロイルオキシエチル）ジヘキサデシルケチミン、メタクリロイルアミドアセトニトリル、２−メタクリロイルオキシエチルメチルシアナミド、シアノメチルメタクリレート；
ヘテロ環式（メタ）アクリレート、例えば２−（１−イミダゾリル）エチル（メタ）アクリレート、２−（４−モルホリニル）エチル（メタ）アクリレート及び１−（２−メタクリロイルオキシエチル）−２−ピロリドン；
オキシラニルメタクリレート、例えば２，３−エポキシブチルメタクリレート、３，４−エポキシブチルメタクリレート、１０，１１−エポキシウンデシルメタクリレート、２，３−エポキシシクロヘキシルメタクリレート、１０，１１−エポキシヘキサデシルメタクリレート；
グリシジルメタクリレート。
【手続補正３】
【補正対象書類名】明細書
【補正対象項目名】００５１
【補正方法】変更
【補正の内容】
【００５１】
分子量及び多分散性は、公知方法で測定することができる。例えばゲルパーミエーシヨンクロマトグラフィ（ＧＰＣ）が使用できる。同様に、浸透圧測定法、例えば"気相浸透圧測定法"がこの分子量の測定のために使用可能である。これらの記載方法は、例えば次の文献に記載されている：P.J.Flory,  "Principles of Polymer Chemistry"   Cornell University Press(1953),Chapter VII,266-316及び"Macromelecules,an Intruduction to Polymer Science",F.A.Bovey and F.H.Winslow,Editors,Academic Press(1979)、296-312及びW.W.Yau,J.J.Kirkland and D.D.Bly,"Modern Size Exclusion Liquid Chromato-graphy, John Wiley and Sons,New York,1979。ここに示されているポリマーの分子量の測定のために、好ましくは、ゲルパーミエーシヨンクロマトグラフィが使用される。これは好ましくはポリメタアクリレート−又はポリアクリレート−標準に対して測定されるべきである。
【手続補正４】
【補正対象書類名】明細書
【補正対象項目名】００８７
【補正方法】変更
【補正の内容】
【００８７】
窒素少なくとも１個を含有する基を有する好ましいモノマーには、特に次のものが属する：
アミノアルキル（メタ）アクリレート及びアミノアルキル（メタ）アクリルアミド、例えばＮ−（３−ジメチルアミノプロピル）メタアクリルアミド、ジメチルアミノエチルメタクリレート、ジメチルアミノプロピルメタクリレート、３−ジエチルアミノペンチルメタクリレート、３−ジブチルアミノヘキサデシル（メタ）アクリレート；
ヘテロ環式（メタ）アクリレート、例えば２−（１−イミダゾリル）エチル（メタ）アクリレート、Ｎ−モルホリノエチル（メタ）アクリレート、殊に２−（４−モルホリニル）エチル（メタ）アクリレート及び１−（２−メタクリロイルオキシエチル）−２−ピロリドン；
ヘテロ環式ビニル化合物、例えば２−ビニルピリジン、３−ビニルピリジン、２−メチル−５−ビニルピリジン、３−エチル−４−ビニルピリジン、２，３−ジメチル−５−ビニルピリジン、ビニルピリミジン、ビニルピペリジン、９−ビニルカルバゾール、３−ビニルカルバゾール、４−ビニルカルバゾール、１−ビニルイミダゾール、２−メチル−１−ビニルイミダゾール、Ｎ−ビニルピロリドン、２−ビニルピロリドン、Ｎ−ビニルピロリジン、３−ビニルピロリジン、Ｎ−ビニルカプロラクタム、Ｎ−ビニルブチロラクタム、ビニルオキサゾール及び水素化されたビニルオキサゾール。
【手続補正５】
【補正対象書類名】明細書
【補正対象項目名】００９０
【補正方法】変更
【補正の内容】
【００９０】
グラフト化のために一般に、重合開始剤が使用され、この際、先にグラフト幹重合体の製造のために挙げられている開始剤が使用されうる。特に好ましくはクミルヒドロペルオキシド、ジイソブチルヒドロペルオキシド又はｔ−ブチルペルベンゾエートを使用することができる。
【手続補正６】
【補正対象書類名】明細書
【補正対象項目名】０１３２
【補正方法】変更
【補正の内容】
【０１３２】
Ｏｌｏａ  ４５９４（Oronite）は、エンジン油用の典型的なＤＩ−添加剤である。この製品は、灰分不含の分散剤と共に摩耗状態の改良のための成分をも含有している。Ｏｌｏａ  ４５９４中の後者成分は、亜鉛−及び燐含有化合物である。亜鉛−及び燐含有化合物は、摩耗状態の改良のために現在慣用されている添加物と見なすことができる。